(57)【要約】【課題】コヒーレント光受信装置において、信号光レベルモニタ用受光素子に対して、局発光によって生じる漏話光の影響を抑制すること。【解決手段】筐体５には、光導波路基板１、複数の信号光用受光素子３４，３５及び信号光レベルモニタ用受光素子４が収納されている。信号光及び局発光は、光導波路基板１の第１の端面からそれぞれ光導波路基板１内の光導波路６，７に入力される。複数の信号光用受光素子３４，３５は、光導波路基板１の第１の端面とは反対側の第２の端面側に並べて配置されている。信号光レベルモニタ用受光素子４は、光導波路基板１の第１の端面と第２の端面との間に挟まれた第３の端面及び第４の端面の何れかの側であって、且つ、第２の端面よりも第１の端面に近い位置に配置されている。【選択図】図２
2015084500.tif 000002
【特許請求の範囲】
【請求項１】
信号光及び局発光を通過させる光導波路、並びに前記信号光と前記局発光とを干渉させる光９０度ハイブリッド回路が内部に形成された光導波路基板と、
前記信号光と前記局発光との干渉光を受光する複数の信号光用受光素子と、
前記局発光との干渉前の前記信号光の一部を分岐させた光を受光する信号光レベルモニタ用受光素子と、
前記光導波路基板、複数の前記信号光用受光素子及び前記信号光レベルモニタ用受光素子を収納する筐体と、を備え、
前記信号光及び前記局発光が、前記光導波路基板の第１の端面からそれぞれ前記光導波路に入力され、
複数の前記信号光用受光素子が、前記光導波路基板の前記第１の端面とは反対側の第２の端面側に並べて配置され、
前記信号光レベルモニタ用受光素子が、前記光導波路基板の前記第１の端面と前記第２の端面との間に挟まれた第３の端面及び第４の端面の何れかの側であって、且つ、前記第２の端面よりも前記第１の端面に近い位置に配置されていることを特徴とする光受信装置。
【請求項２】
前記光導波路基板は、前記光導波路基板の内部を通過して前記第２の端面から出射する光の一部を反射することを特徴とする請求項１に記載の光受信装置。
【請求項３】
前記信号光用受光素子は、前記光導波路基板から出射して前記信号光用受光素子へ入射する光の一部を反射することを特徴とする請求項１または２に記載の光受信装置。
【請求項４】
前記光導波路基板はガラス系の材料でできており、前記光導波路基板の内部を通過する光が前記光導波路基板の外部へ漏れ出ることを特徴とする請求項１乃至３のいずれか一項に記載の光受信装置。
【請求項５】
局発光を発する局発光源と、
信号光及び前記局発光源から発せられた局発光を通過させる光導波路、並びに前記信号光と前記局発光とを干渉させる光９０度ハイブリッド回路が内部に形成された光導波路基板と、
前記信号光と前記局発光との干渉光を受光する複数の信号光用受光素子と、
前記局発光との干渉前の前記信号光の一部を分岐させた光を受光する信号光レベルモニタ用受光素子と、
前記光導波路基板、複数の前記信号光用受光素子及び前記信号光レベルモニタ用受光素子を収納する筐体と、を備え、
前記信号光及び前記局発光が、前記光導波路基板の第１の端面からそれぞれ前記光導波路に入力され、
複数の前記信号光用受光素子が、前記光導波路基板の前記第１の端面とは反対側の第２の端面側に並べて配置され、
前記信号光レベルモニタ用受光素子が、前記光導波路基板の前記第１の端面と前記第２の端面との間に挟まれた第３の端面及び第４の端面の何れかの側であって、且つ、前記第２の端面よりも前記第１の端面に近い位置に配置された光受信装置と、
光を発する発光素子と、
前記発光素子から発せられた光を変調する光変調器と、を備えた光送信装置と、
を有することを特徴とする光送受信モジュール。
【請求項６】
波長多重光を波長ごとの信号光に分波する光分波器と、
波長の異なる局発光を発する複数の局発光源と、
前記光分波器で分波された前記信号光及び前記局発光源から発せられた前記局発光を通過させる光導波路、並びに前記信号光と前記局発光とを干渉させる光９０度ハイブリッド回路が内部に形成された光導波路基板と、
前記信号光と前記局発光との干渉光を受光する複数の信号光用受光素子と、
前記局発光との干渉前の前記信号光の一部を分岐させた光を受光する信号光レベルモニタ用受光素子と、
前記光導波路基板、複数の前記信号光用受光素子及び前記信号光レベルモニタ用受光素子を収納する筐体と、を備え、
前記信号光及び前記局発光が、前記光導波路基板の第１の端面からそれぞれ前記光導波路に入力され、
複数の前記信号光用受光素子が、前記光導波路基板の前記第１の端面とは反対側の第２の端面側に並べて配置され、
前記信号光レベルモニタ用受光素子が、前記光導波路基板の前記第１の端面と前記第２の端面との間に挟まれた第３の端面及び第４の端面の何れかの側であって、且つ、前記第２の端面よりも前記第１の端面に近い位置に配置された複数の光受信装置と、
光を発する発光素子と、
前記発光素子から発せられた光を変調する光変調器と、を備えた複数の光送信装置と、
複数の前記光送信装置からそれぞれ出力された波長の異なる信号光を合波する光合波器と、
を有することを特徴とする光送受信装置。
【発明の詳細な説明】
【技術分野】
【０００１】
この発明は、光受信装置、光送受信モジュール及び光送受信装置に関する。
【背景技術】
【０００２】
従来、波長多重光通信に用いられる多チャネルの集積型受光回路において、平面光回路の側面に受光素子アレイを設けることによって、チャネル間の光クロストークを抑制することが開示されている。また、遮光性を有するホルダ内に受光素子アレイの各受光素子を入れることによって、チャネル間の光クロストークを抑制することが開示されている（例えば、特許文献１参照）。
【先行技術文献】
【特許文献】
【０００３】
【特許文献１】特開２００５−２５０１７８号公報
【発明の概要】
【発明が解決しようとする課題】
【０００４】
近時、大容量の光通信を実現する技術の一つにコヒーレント伝送技術がある。コヒーレント伝送技術に用いられる光受信装置では、光導波路内で信号光と局発光とが干渉することによって信号光が増幅され、増幅された信号光が信号光用受光素子で受光される。また、局発光と干渉させる前の信号光を分岐させた光が信号光レベルモニタ用受光素子で受光される。
【０００５】
高出力の局発光の一部は、光導波路の端面や信号光用受光素子で反射して光導波路内や筐体内で散乱光となって広がり、信号光レベルモニタ用受光素子で受光されることがある。しかしながら、従来の多チャネルの集積型受光回路におけるチャネル間の光クロストーク抑制技術では、光導波路内に局発光を入力させて信号光と干渉させることを想定していないため、局発光によって生じる漏話光が信号光レベルモニタ用受光素子で受光されるのを防ぐことができない。
【０００６】
信号光レベルモニタ用受光素子に対して、局発光によって生じる漏話光の影響を抑制することができる光受信装置、光送受信モジュール及び光送受信装置を提供することを目的とする。
【課題を解決するための手段】
【０００７】
光受信装置は、光導波路基板、複数の信号光用受光素子、信号光レベルモニタ用受光素子及び筐体を備えている。光導波路基板の内部には、信号光及び局発光を通過させる光導波路、並びに信号光と局発光とを干渉させる光９０度ハイブリッド回路が形成されている。信号光用受光素子は、信号光と局発光との干渉光を受光する。信号光レベルモニタ用受光素子は、局発光との干渉前の信号光の一部を分岐させた光を受光する。光導波路基板、複数の信号光用受光素子及び信号光レベルモニタ用受光素子は、筐体に収納されている。信号光及び局発光は、光導波路基板の第１の端面からそれぞれ光導波路に入力される。複数の信号光用受光素子は、光導波路基板の第１の端面とは反対側の第２の端面側に並べて配置されている。信号光レベルモニタ用受光素子は、光導波路基板の第１の端面と第２の端面との間に挟まれた第３の端面及び第４の端面の何れかの側であって、且つ、第２の端面よりも第１の端面に近い位置に配置されている。また、光送受信モジュール及び光送受信装置は、それぞれ、上述した光受信装置を有する。
【発明の効果】
【０００８】
この光受信装置、光送受信モジュール及び光送受信装置によれば、信号光レベルモニタ用受光素子に対して、局発光によって生じる漏話光の影響を抑制することができるという効果を奏する。
【図面の簡単な説明】
【０００９】
【図１】図１は、実施の形態にかかる光受信装置の一例を示す図である。
【図２】図２は、図１に示す光受信装置の機能的構成の一例を示す図である。
【図３】図３は、実施の形態にかかる光受信装置に局発光源が接続された状態の一例を示す図である。
【図４】図４は、実施の形態にかかる光受信装置における遮光構造の第１の例を示す図である。
【図５】図５は、実施の形態にかかる光受信装置における遮光構造の第２の例を示す図である。
【図６】図６は、実施の形態にかかる光受信装置における遮光構造の第３の例を示す図である。
【図７】図７は、実施の形態にかかる光送受信モジュールの一例を示す図である。
【図８】図８は、実施の形態にかかる光送受信装置の一例を示す図である。
【発明を実施するための形態】
【００１０】
以下に添付図面を参照して、この光受信装置、光送受信モジュール及び光送受信装置の好適な実施の形態を詳細に説明する。以下の各実施例の説明においては、同様の構成要素には同一の符号を付して、重複する説明を省略する。
【００１１】
・光受信装置の一例
図１は、実施の形態にかかる光受信装置の一例を示す図である。図１に示すように、光受信装置は、光導波路基板１、例えば２個の信号光用受光素子アレイ２，３、信号光レベルモニタ用受光素子４及び筐体５を備えている。筐体５は、例えば有底箱状の本体と蓋体とを有しており、筐体５の本体内に光導波路基板１、信号光用受光素子アレイ２，３及び信号光レベルモニタ用受光素子４が収納された状態で、本体に蓋体が被せられて封止される。図１には、蓋体を開けた状態が示されている。
【００１２】
光導波路基板１の内部には、光導波路６〜１０及び光９０度ハイブリッド回路１１，１２が形成されている。図１では、光導波路６〜１０のパターンが図示省略されている。局発光を通過させる光導波路６は、例えば光導波路基板１に局発光を入力させる光ファイバ１３に接続している。信号光を通過させる光導波路７は、例えば光導波路基板１に信号光を入力させる光ファイバ１４に接続している。
【００１３】
これら局発光及び信号光を入力させる光ファイバ１３，１４は、例えば筐体５の外部から筐体５の図示しない開口部を通されて筐体５の内部に引き込まれ、例えばガラス製のブロック１５によって支持されている。筐体５における光ファイバ１３，１４の引き込み部分は封止されている。
【００１４】
光導波路６及び光導波路７は、光９０度ハイブリッド回路１１，１２に局発光及び信号光を導く。光９０度ハイブリッド回路１１，１２には、信号光と局発光とを干渉させる光導波路のパターンが形成されており、信号光と局発光とを干渉させる。光導波路９は、一方の信号光用受光素子アレイ２に、一方の光９０度ハイブリッド回路１１において局発光との干渉によって増幅された信号光を導く。光導波路１０は、もう一方の信号光用受光素子アレイ３に、もう一方の光９０度ハイブリッド回路１２において局発光との干渉によって増幅された信号光を導く。
【００１５】
信号光用受光素子アレイ２，３は、光導波路９，１０から出射された信号光を受光して電気信号に変換する。光導波路８は、光ファイバ１４から光導波路基板１内に入力され、且つ、光９０度ハイブリッド回路１１，１２において増幅される前の信号光の一部を信号光レベルモニタ用受光素子４へ導く。信号光レベルモニタ用受光素子４は、光導波路８から出射された信号光を受光して電気信号に変換する。信号光レベルモニタ用受光素子４を流れる電流量に基づいて、信号光のレベルがモニタされる。
【００１６】
光導波路基板１において、光ファイバ１３，１４から局発光及び信号光が入力される側の端面を第１の端面とし、第１の端面とは反対側の端面を第２の端面とし、第１の端面と第２の端面との間に挟まれた２つの側面を第３の端面及び第４の端面とする。信号光用受光素子アレイ２，３は、光導波路基板１の第２の端面側に配置されている。
【００１７】
信号光レベルモニタ用受光素子４は、光導波路基板１の第３の端面及び第４の端面の何れかの側で、信号光レベルモニタ用受光素子４が配置された側の端面に受光面を臨ませて、配置されている。信号光レベルモニタ用受光素子４は、光導波路基板１の第２の端面よりも第１の端面に近い位置に配置されている。
【００１８】
光導波路基板１内を通過して光導波路基板１の第２の端面に達した光の一部が、この第２の端面で反射して、散乱光として光導波路基板１内に広がることがある。また、光導波路基板１の第２の端面から出射した光の一部が、信号光用受光素子アレイ２，３に設けられている複数の受光素子の受光面で反射して光導波路基板１内に入射し、散乱光として光導波路基板１内に広がることがある。光導波路基板１はガラス系の材料でできていてもよく、光導波路基板１内に広がった散乱光が第３の端面や第４の端面から光導波路基板１の側方へ漏れ出すことがある。
【００１９】
また、図１に示すように、筐体５内には、例えば信号光用受光素子アレイ２，３から出力された電気信号を処理する電気処理部２１が収納されていてもよい。電気処理部２１には、例えばトランスインピーダンスアンプ（ＴＩＡ、Ｔｒａｎｓｉｍｐｅｄａｎｃｅ  Ａｍｐｌｉｆｉｅｒ）や自動利得制御（ＡＧＣ、Ａｕｔｏｍａｔｉｃ  Ｇａｉｎ  Ｃｏｎｔｒｏｌ）を行う回路などを集積した集積回路２２，２３が設けられていてもよい。これらの集積回路２２，２３からは電気配線２４，２５によって筐体５の外部へ、電気処理部２１によって処理された信号が出力される。
【００２０】
以上のような構成を有する光受信装置は、例えばデジタルコヒーレント方式の受信装置に適用することができる。以下に、図１に示す光受信装置をデジタルコヒーレント方式の受信装置に適用した場合の機能的な構成について説明する。
【００２１】
・機能的構成の一例
図２は、図１に示す光受信装置の機能的構成の一例を示す図である。図２に示すように、光導波路基板１において、光ファイバ１４から入力された信号光を通過させる光導波路７の途中には、カプラ３１及び偏波分離器３２が挿入されている。光ファイバ１３から入力された局発光を通過させる光導波路６の途中には、３ｄＢパワーカプラ３３が挿入されている。
【００２２】
カプラ３１には、信号光レベルモニタ用受光素子４へ向かって伸びる光導波路８が接続されている。カプラ３１は、光ファイバ１４から入力された信号光を２分岐させて、偏波分離器３２と信号光レベルモニタ用受光素子４とへ出力する。フォトダイオードは、信号光レベルモニタ用受光素子４の一例である。
【００２３】
偏波分離器３２は、カプラ３１及び光９０度ハイブリッド回路１１，１２に接続されている。偏波分離器３２は、カプラ３１を通過した信号光をＸ偏波成分の光とＹ偏波成分の光とに分離して、Ｘ偏波成分の光をＸ偏波用の光９０度ハイブリッド回路１１へ出力し、Ｙ偏波の成分の光をＹ偏波用の光９０度ハイブリッド回路１２へ出力する。
【００２４】
３ｄＢパワーカプラ３３は、光９０度ハイブリッド回路１１，１２に接続されている。３ｄＢパワーカプラ３３は、局発光を半分ずつのパワーにして２分岐させて、Ｘ偏波用の光９０度ハイブリッド回路１１とＹ偏波用の光９０度ハイブリッド回路１２とへ出力する。局発光がＸ偏波の光である場合、Ｘ偏波用の光９０度ハイブリッド回路１１には、局発光がＸ偏波のまま入力され、Ｙ偏波用の光９０度ハイブリッド回路１２には、局発光がＹ偏波に変換されて入力される。局発光がＹ偏波の光である場合には、Ｘ偏波の光である場合の逆である。
【００２５】
信号光用受光素子アレイ２，３は、それぞれ複数個、例えば４個の信号光用受光素子３４，３５を有していてもよい。フォトダイオードは、信号光用受光素子３４，３５の一例である。Ｘ偏波用の信号光用受光素子アレイ２の各信号光用受光素子３４をそれぞれ流れる光電流は、Ｘ偏波用の集積回路２２におけるトランスインピーダンスアンプ及び自動利得制御によって電圧信号に変換され、増幅される。そして、Ｘ偏波用の集積回路２２は、Ｘ偏波の同相成分の信号ＸＩｐ及びＸＩｎと、Ｘ偏波の直交成分の信号ＸＱｐ及びＸＱｎを出力する。
【００２６】
同様に、Ｙ偏波用の信号光用受光素子アレイ３の各信号光用受光素子３５をそれぞれ流れる光電流は、Ｙ偏波用の集積回路２３におけるトランスインピーダンスアンプ及び自動利得制御によって電圧信号に変換され、増幅される。そして、Ｙ偏波用の集積回路２３は、Ｙ偏波の同相成分の信号ＹＩｐ及びＹＩｎと、Ｙ偏波の直交成分の信号ＹＱｐ及びＹＱｎを出力する。
【００２７】
図３は、実施の形態にかかる光受信装置に局発光源が接続された状態の一例を示す図である。図３において、光受信装置４１は、例えば図１に示す光受信装置であってもよい。光受信装置４１において、信号光を入力させる光ファイバ１４には、図示しないコネクタを介して接続された光ファイバなどの光伝送路から信号光が入力される。局発光を入力させる光ファイバ１３には、局発光を出力する局発光源４２から伸びる光ファイバ４３が例えばスプライス４４によって接続されてもよい。なお、局発光源４２が光受信装置４１の筐体内に収納されていてもよい。
【００２８】
図１または図２に示す光受信装置によれば、信号光レベルモニタ用受光素子４が光導波路基板１の第３の端面及び第４の端面の何れかの側に配置されているため、信号光レベルモニタ用受光素子４の受光面が、光を反射する例えば光導波路基板１の第２の端面または信号光用受光素子３４，３５の受光面に向かない。そのため、光導波路基板１の第２の端面または信号光用受光素子３４，３５で反射した光は、信号光レベルモニタ用受光素子４が光導波路基板１の第１の端面側に配置されている場合よりも、信号光レベルモニタ用受光素子４へ入射しにくい。従って、信号光レベルモニタ用受光素子４に対して、局発光によって生じる漏話光の影響を抑制することができる。それによって、高い精度で、信号光のレベルを測定することができる。
【００２９】
また、図１または図２に示す光受信装置によれば、信号光レベルモニタ用受光素子４が光導波路基板１の第２の端面よりも第１の端面に近い位置に配置されているため、第２の端面に近い位置に配置されている場合よりも、第２の端面または信号光用受光素子３４，３５と信号光レベルモニタ用受光素子４との距離が長くなる。それによって、例えば光導波路基板１の第２の端面または信号光用受光素子３４，３５で反射して戻ってくる光が信号光レベルモニタ用受光素子４へ入射しても、信号光レベルモニタ用受光素子４へ入射した光のパワーはより減衰している。従って、信号光レベルモニタ用受光素子４に対して、局発光によって生じる漏話光の影響を抑制することができる。それによって、高い精度で、信号光のレベルを測定することができる。
【００３０】
・信号光レベルモニタ用受光素子の遮光構造の第１の例
図４は、実施の形態にかかる光受信装置における遮光構造の第１の例を示す図である。図４に示すように、信号光レベルモニタ用受光素子４が遮光性を有するキャリア５１に実装されていてもよい。キャリア５１は、例えば信号光レベルモニタ用受光素子４の光導波路基板１に相対峙する受光面を除いて、信号光レベルモニタ用受光素子４を覆っていてもよい。
【００３１】
図４に示す遮光構造を有する光受信装置によれば、キャリア５１によって、例えば図４に矢印で示すように光導波路基板１の信号光レベルモニタ用受光素子４が配置された側の端面から漏れ出た光５２が信号光レベルモニタ用受光素子４に入射するのが遮られる。それによって、光導波路基板１の第２の端面または信号光用受光素子３４，３５で反射して戻ってくる光が光導波路基板１から漏れ出ても、信号光レベルモニタ用受光素子４で受光されないため、信号光レベルモニタ用受光素子４に対して、局発光によって生じる漏話光の影響を抑制することができる。それによって、高い精度で、信号光のレベルを測定することができる。
【００３２】
・信号光レベルモニタ用受光素子の遮光構造の第２の例
図５は、実施の形態にかかる光受信装置における遮光構造の第２の例を示す図である。図５に示すように、信号光レベルモニタ用受光素子４と、光導波路基板１の信号光レベルモニタ用受光素子４が配置されている側の端面との間に、遮光性を有する遮光板５３が設けられていてもよい。
【００３３】
遮光板５３には、信号光を通過させる光導波路７から分岐して信号光レベルモニタ用受光素子４へ向かって伸びる光導波路８から出射した光を通すピンホール５４が開けられている。つまり、局発光との干渉前の信号光の一部を分岐させた光は、このピンホール５４を通って信号光レベルモニタ用受光素子４で受光される。
【００３４】
ピンホール５４の幅は、光導波路８の幅以上であるとよい。その理由は、光導波路８から出射した光が遮光板５３によって遮られることなく、信号光レベルモニタ用受光素子４へ向かうことができるからである。また、ピンホール５４の幅は、例えば１００μｍ以下であるとよい。その理由は、光導波路８から出射して信号光レベルモニタ用受光素子４へ入射する光の量に対して、光導波路８から出射した光以外の信号光レベルモニタ用受光素子４へ入射する光の量を十分に小さく抑えることができるからである。
【００３５】
図５に示す遮光構造を有する光受信装置によれば、遮光板５３によって、例えば図５に矢印で示すように光導波路基板１の信号光レベルモニタ用受光素子４が配置された側の端面から漏れ出た光５５，５６が信号光レベルモニタ用受光素子４に入射するのが遮られる。それによって、光導波路基板１の第２の端面または信号光用受光素子３４，３５で反射して戻ってくる光が光導波路基板１から漏れ出ても、信号光レベルモニタ用受光素子４で受光されないため、信号光レベルモニタ用受光素子４に対して、局発光によって生じる漏話光の影響を抑制することができる。それによって、高い精度で、信号光のレベルを測定することができる。
【００３６】
・信号光レベルモニタ用受光素子の遮光構造の第３の例
図６は、実施の形態にかかる光受信装置における遮光構造の第３の例を示す図である。図６に示すように、図４に示す遮光構造の第１の例と図５に示す遮光構造の第２の例とを組み合わせてもよい。すなわち、遮光性を有するキャリア５１に信号光レベルモニタ用受光素子４を実装するとともに、信号光レベルモニタ用受光素子４と、光導波路基板１の信号光レベルモニタ用受光素子４が配置されている側の端面との間に、遮光性を有する遮光板５３を設けてもよい。
【００３７】
図６に示す遮光構造を有する光受信装置によれば、図４に示す遮光構造の第１の例と図５に示す遮光構造の第２の例と同様に、信号光レベルモニタ用受光素子４に対して、局発光によって生じる漏話光の影響を抑制することができる。それによって、高い精度で、信号光のレベルを測定することができる。
【００３８】
・光送受信モジュールの一例
図７は、実施の形態にかかる光送受信モジュールの一例を示す図である。図７に示すように、光送受信モジュールは、光送信装置６１、光受信装置６２及び集積回路６３を有する。集積回路６３は、例えば光送信装置６１及び光受信装置６２に対して共通となっていてもよい。集積回路６３は、アナログデジタル変換器（ＡＤＣ、Ａｎａｌｏｇ  Ｄｉｇｉｔａｌ  Ｃｏｎｖｅｒｔｏｒ）、デジタルコヒーレント信号処理集積回路（ＤＳＰ、Ｄｉｇｉｔａｌ  Ｓｉｇｎａｌ  Ｐｒｏｃｅｓｓｉｎｇ）及びエラー訂正処理（ＦＥＣ、Ｆｏｒｗａｒｄ  Ｅｒｒｏｒ  Ｃｏｒｒｅｃｔｉｏｎ）のエンコーダ／デコーダ回路を有していてもよい。
【００３９】
光送信装置６１は、発光素子６４、光変調器６５及び変調器駆動回路６６を有する。発光素子６４は、送信信号となる光を発する。可変波長レーザは、発光素子６４の一例である。光変調器６５は、複数、例えば４個の位相変調器６７及び偏波結合器（ＰＢＣ、Ｐｏｌａｒｉｚａｔｉｏｎ  Ｂｅａｍ  Ｃｏｍｂｉｎｅｒ）６８を有する。光変調器６５は、発光素子６４から発せられた光を変調する。変調器駆動回路６６は、図示しないアプリケーションから渡されたデータを集積回路６３で処理した信号に基づいて位相変調器６７を駆動する。偏波結合器６８は、各位相変調器６７から出力された信号光の偏波成分を結合させる。光送信装置６１は、偏波結合器６８によって結合された信号光を出力する。
【００４０】
光受信装置６２は、局発光源６９、集積受信器７０及び集積回路６３を有する。局発光源６９は、局発光を発する。可変波長レーザは、局発光源６９の一例である。集積受信器７０は、信号光レベルモニタ用受光素子、カプラ、偏波分離器（ＰＢＳ、Ｐｏｌａｒｉｚａｔｉｏｎ  Ｂｅａｍ  Ｓｐｌｉｔｔｅｒ）、３ｄＢパワーカプラ、光９０度ハイブリッド回路、フォトダイオード等の受光素子、トランスインピーダンスアンプ及び自動利得制御回路などを有する。集積受信器７０は、例えば図１もしくは図２に示す光受信装置、または図４〜図６のいずれかに示す遮光構造を有する光受信装置を有する。
【００４１】
図７に示す光送受信モジュールによれば、図１もしくは図２に示す光受信装置、または図４〜図６のいずれかに示す遮光構造を有する光受信装置と同様に、信号光レベルモニタ用受光素子に対して、局発光によって生じる漏話光の影響を抑制することができる。それによって、高い精度で、信号光のレベルを測定することができる。
【００４２】
・光送受信装置の一例
図８は、実施の形態にかかる光送受信装置の一例を示す図である。図８に示すように、光送受信装置は、光送信装置７１及び光受信装置７２を有する。
【００４３】
光送信装置７１は、複数の異なる波長のそれぞれに対して、発光素子（ＬＤ）７３、光変調器（Ｍｏｄ）７４、変調器駆動回路（Ｄｒｖ）７５及び送信信号処理回路（Ｔｘ＿ＩＣ）７６を有し、各波長の信号光を合波して波長多重光を出力する光合波器７７を有する。発光素子７３、光変調器７４、変調器駆動回路７５及び送信信号処理回路７６は、それぞれ、図７に示す光送受信モジュールにおける発光素子６４、光変調器６５、変調器駆動回路６６及び集積回路６３と同様のものである。
【００４４】
光受信装置７２は、複数の異なる波長のそれぞれに対して、局発光源（ＬＤ）７８、集積受信器（ｉＲｘ）７９及び受信信号処理回路（Ｒｘ＿ＩＣ）８０を有し、受信した波長多重光を波長ごとの信号光に分離する光分波器８１を有する。局発光源７８、集積受信器７９及び受信信号処理回路８０は、それぞれ、図７に示す光送受信モジュールにおける局発光源６９、集積受信器７０及び集積回路６３と同様のものである。
【００４５】
図８に示す光送受信装置によれば、図１もしくは図２に示す光受信装置、または図４〜図６のいずれかに示す遮光構造を有する光受信装置と同様に、信号光レベルモニタ用受光素子に対して、局発光によって生じる漏話光の影響を抑制することができる。それによって、高い精度で、信号光のレベルを測定することができる。
【００４６】
上述した各実施例を含む実施の形態に関し、さらに以下の付記を開示する。
【００４７】
（付記１）信号光及び局発光を通過させる光導波路、並びに前記信号光と前記局発光とを干渉させる光９０度ハイブリッド回路が内部に形成された光導波路基板と、前記信号光と前記局発光との干渉光を受光する複数の信号光用受光素子と、前記局発光との干渉前の前記信号光の一部を分岐させた光を受光する信号光レベルモニタ用受光素子と、前記光導波路基板、複数の前記信号光用受光素子及び前記信号光レベルモニタ用受光素子を収納する筐体と、を備え、前記信号光及び前記局発光が、前記光導波路基板の第１の端面からそれぞれ前記光導波路に入力され、複数の前記信号光用受光素子が、前記光導波路基板の前記第１の端面とは反対側の第２の端面側に並べて配置され、前記信号光レベルモニタ用受光素子が、前記光導波路基板の前記第１の端面と前記第２の端面との間に挟まれた第３の端面及び第４の端面の何れかの側であって、且つ、前記第２の端面よりも前記第１の端面に近い位置に配置されていることを特徴とする光受信装置。
【００４８】
（付記２）前記光導波路基板は、前記光導波路基板の内部を通過して前記第２の端面から出射する光の一部を反射することを特徴とする付記１に記載の光受信装置。
【００４９】
（付記３）前記信号光用受光素子は、前記光導波路基板から出射して前記信号光用受光素子へ入射する光の一部を反射することを特徴とする付記１または２に記載の光受信装置。
【００５０】
（付記４）前記光導波路基板はガラス系の材料でできており、前記光導波路基板の内部を通過する光が前記光導波路基板の外部へ漏れ出ることを特徴とする付記１乃至３のいずれか一つに記載の光受信装置。
【００５１】
（付記５）前記信号光レベルモニタ用受光素子は、前記光導波路基板から漏れ出た光が前記信号光レベルモニタ用受光素子に入射するのを遮る遮光性のキャリアに実装されていることを特徴とする付記２乃至４のいずれか一つに記載の光受信装置。
【００５２】
（付記６）前記信号光レベルモニタ用受光素子と、前記光導波路基板の前記信号光レベルモニタ用受光素子が配置されている側の前記第３の端面または前記第４の端面との間に、前記光導波路基板から漏れ出た光が前記信号光レベルモニタ用受光素子に入射するのを遮る遮光板が設けられており、前記遮光板に、前記局発光との干渉前の前記信号光の一部を分岐させた光を通すピンホールが開けられていることを特徴とする付記２乃至５のいずれか一つに記載の光受信装置。
【００５３】
（付記７）前記ピンホールの幅は、前記局発光との干渉前の前記信号光の一部を分岐させた光が通過する光導波路の幅以上であり、且つ、１００μｍ以下であることを特徴とする付記６に記載の光受信装置。
【００５４】
（付記８）局発光を発する局発光源と、信号光及び前記局発光源から発せられた局発光を通過させる光導波路、並びに前記信号光と前記局発光とを干渉させる光９０度ハイブリッド回路が内部に形成された光導波路基板と、前記信号光と前記局発光との干渉光を受光する複数の信号光用受光素子と、前記局発光との干渉前の前記信号光の一部を分岐させた光を受光する信号光レベルモニタ用受光素子と、前記光導波路基板、複数の前記信号光用受光素子及び前記信号光レベルモニタ用受光素子を収納する筐体と、を備え、前記信号光及び前記局発光が、前記光導波路基板の第１の端面からそれぞれ前記光導波路に入力され、複数の前記信号光用受光素子が、前記光導波路基板の前記第１の端面とは反対側の第２の端面側に並べて配置され、前記信号光レベルモニタ用受光素子が、前記光導波路基板の前記第１の端面と前記第２の端面との間に挟まれた第３の端面及び第４の端面の何れかの側であって、且つ、前記第２の端面よりも前記第１の端面に近い位置に配置された光受信装置と、光を発する発光素子と、前記発光素子から発せられた光を変調する光変調器と、を備えた光送信装置と、を有することを特徴とする光送受信モジュール。
【００５５】
（付記９）波長多重光を波長ごとの信号光に分波する光分波器と、波長の異なる局発光を発する複数の局発光源と、前記光分波器で分波された前記信号光及び前記局発光源から発せられた前記局発光を通過させる光導波路、並びに前記信号光と前記局発光とを干渉させる光９０度ハイブリッド回路が内部に形成された光導波路基板と、前記信号光と前記局発光との干渉光を受光する複数の信号光用受光素子と、前記局発光との干渉前の前記信号光の一部を分岐させた光を受光する信号光レベルモニタ用受光素子と、前記光導波路基板、複数の前記信号光用受光素子及び前記信号光レベルモニタ用受光素子を収納する筐体と、を備え、前記信号光及び前記局発光が、前記光導波路基板の第１の端面からそれぞれ前記光導波路に入力され、複数の前記信号光用受光素子が、前記光導波路基板の前記第１の端面とは反対側の第２の端面側に並べて配置され、前記信号光レベルモニタ用受光素子が、前記光導波路基板の前記第１の端面と前記第２の端面との間に挟まれた第３の端面及び第４の端面の何れかの側であって、且つ、前記第２の端面よりも前記第１の端面に近い位置に配置された複数の光受信装置と、光を発する発光素子と、前記発光素子から発せられた光を変調する光変調器と、を備えた複数の光送信装置と、複数の前記光送信装置からそれぞれ出力された波長の異なる信号光を合波する光合波器と、を有することを特徴とする光送受信装置。
【符号の説明】
【００５６】
１  光導波路基板
４  信号光レベルモニタ用受光素子
５  筐体
６，７，８  光導波路
１１，１２  光９０度ハイブリッド回路
３４，３５  信号光用受光素子
４２，６９，７８  局発光源
５１  キャリア
５３  遮光板
５４  ピンホール
６１，７１  光送信装置
６２，７２  光受信装置
６４，７３  発光素子
６５，７４  光変調器
７７  光合波器
８１  光分波器
【図１】
2015084500.tif 000003
【図２】
2015084500.tif 000004
【図３】
2015084500.tif 000005
【図４】
2015084500.tif 000006
【図５】
2015084500.tif 000007
【図６】
2015084500.tif 000008
【図７】
2015084500.tif 000009
【図８】
2015084500.tif 000010